(57)【要約】      （修正有）【課題】内部に収容した商品全ての取り出しがより簡単に行うことができるダンボール箱を提供する。【解決手段】４つの側壁２ａ、３ａ１、４ａ、５ａを有し、４つの側壁の上端縁によって形成された開口を有する矩形状のダンボール箱１であって、側壁には、上端縁から連続した蓋片２ｂ、３ｂ、４ｂ、５ｂが設けられており、側壁のうち対向する側壁には、上端縁の両端と下端縁を繋ぐ一対の破断線Ｌ１が形成されている。破断線に沿って切り取れば、対向する側壁と箱の上面を繋ぐ連続した開口を形成することができるので、側壁の開口を介して内部に収容した被収容物を簡単に取り出すことができる。しかも、箱の底面近傍まで開口を形成できるので、底の方に位置する被収容物でも取り出し易くなる。したがって、箱内に隙間ができないようにきっちりと収容された被収容物であっても、簡単に取り出すことができる。【選択図】図１
2017088210.tif 000002
【特許請求の範囲】
【請求項１】
４つの側壁を有し、該４つの側壁の上端縁によって形成された開口を有する矩形状のダンボール箱であって、
前記側壁には、
上端縁から連続した蓋片が設けられており、
前記側壁のうち対向する側壁には、
上端縁の両端と下端縁を繋ぐ一対の破断線が形成されている
ことを特徴とするダンボール箱。
【請求項２】
前記一対の破断線が、
略Ｖ字状に形成されている
ことを特徴とする請求項１記載のダンボール箱。
【請求項３】
前記一対の破断線の先端間には、
該先端間を繋ぐ連結破断線が形成されている
ことを特徴とする請求項１または２記載のダンボール箱。
【請求項４】
前記連結破断線と前記一対の破断線が形成された前記側壁の下端縁との間には、
隙間が形成されている
ことを特徴とする請求項１、２または３記載のダンボール箱。
【請求項５】
前記一対の破断線が形成された前記側壁には、
下端縁から連続した蓋片が設けられており、
該蓋片は、
繊維が該蓋片が設けられた前記側壁の上下方向に沿って形成されている
ことを特徴とする請求項１、２、３または４記載のダンボール箱。
【請求項６】
前記一対の破断線が形成された前記側壁の側端縁に連結した他の側壁には、
該側壁の下端縁から連続した蓋片が設けられており、
該蓋片の上端縁よりも内方に位置するように、前記一対の破断線の先端が形成されている
ことを特徴とする請求項１、２、３、４または５記載のダンボール箱。
【発明の詳細な説明】
【技術分野】
【０００１】
本発明は、ダンボール箱に関する。
【背景技術】
【０００２】
ダンボールシートを素材とした箱（いわゆるダンボール箱）は、軽量で取扱い性に優れるとともに、クッション性にも優れていることから、商品を移送する際の包装箱として様々な分野で広く使用されている。このような商品は、一般的に、工場等で生産された後、機械的にダンボール箱に隙間なくきっちりと収容された後、蓋を接着剤等でしっかりと封印された状態で出荷されている。一方、ダンボール箱からの商品の取り出しは、通常、人の手によって行われる。このとき、ダンボール箱の蓋は流通時に開封しないようにしっかり封印されているので、蓋を開封する作業に手間と時間がかかるといった問題がある。
【０００３】
そこで、従来、ダンボール箱の蓋を開封し易くした構造を有する様々なダンボール箱が提案されている。
【０００４】
例えば、側壁の上部に周方向に沿ってミシン目を形成したり、カットテープを備えることによって天面の蓋を開封する構造のダンボール箱や（例えば、特許文献１）、側方に設けられた蓋の裏側および側壁の周方向に沿って切裂帯を形成することによって、側面の蓋を開封する構造のダンボール箱が提案されている（例えば、特許文献２、３）。
また、側方に設けられた蓋に連続するように上面壁にミシン目を形成したダンボール箱も提案されている（例えば、特許文献４、５）。これらの特許文献には、上面の形成されたミシン目から剥がすことによって、上面に連続したダンボール箱の側方に設けられた蓋を容易に開封することができる旨が記載されている。
【先行技術文献】
【特許文献】
【０００５】
【特許文献１】特開２０１０―２３８８５号公報
【特許文献２】特開平９―２０７９３４号公報
【特許文献３】特開２００３―３２７２３９号公報
【特許文献４】特開平８―２１７０６１号公報
【特許文献５】特開２００９―２１４９０４号公報
【発明の概要】
【発明が解決しようとする課題】
【０００６】
しかるに、上述したような従来のダンボール箱は、あくまでも箱の蓋の開封を行い易くする構造を有するものであり、内部に収容されている商品を取り出し易くするための構造を有するものではない。
【０００７】
つまり、従来の技術では、ダンボール箱の蓋の開封の方法については様々な構造が提案されているが、ダンボール箱内に収容された商品を取り出す際の作業性について考慮したものはほとんどなく、とくにダンボール箱の内底面側に収容された商品については全く考慮されていない。
【０００８】
このため、従来のダンボール箱を用いた場合であっても、開口部から離れた箱内底面側に収容された商品は依然として取り出しにくい状況にあり、かかる商品を取り出す際には、上方の商品を取り除いたのちにダンボール箱を分解したり、無理やり箱から商品を取り出さなければならないというのが実情である。
【０００９】
もし、ダンボール箱の蓋を開封した際、箱の底側に位置する商品も簡単に取り出すことができるダンボール箱があれば、収容された最後の商品までスムースに取り出すことができるので、望ましい。
【００１０】
本発明は上記事情に鑑み、内部に収容した商品全ての取り出しがより簡単に行うことができるダンボール箱を提供することを目的とする。
【課題を解決するための手段】
【００１１】
第１発明のダンボール箱は、４つの側壁を有し、該４つの側壁の上端縁によって形成された開口を有する矩形状のダンボール箱であって、前記側壁には、上端縁から連続した蓋片が設けられており、前記側壁のうち対向する側壁には、上端縁の両端と下端縁を繋ぐ一対の破断線が形成されていることを特徴とする。
第２発明のダンボール箱は、第１発明において、前記一対の破断線が、略Ｖ字状に形成されていることを特徴とする。
第３発明のダンボール箱は、第１発明または第２発明において、前記一対の破断線の先端間には、該先端間を繋ぐ連結破断線が形成されていることを特徴とする。
第４発明のダンボール箱は、第１発明、第２発明または第３発明において、前記連結破断線と前記一対の破断線が形成された前記側壁の下端縁との間には、隙間が形成されていることを特徴とする。
第５発明のダンボール箱は、第１発明、第２発明、第３発明または第４発明において、前記一対の破断線が形成された前記側壁には、下端縁から連続した下蓋片が設けられており、該下蓋片は、繊維が該下蓋片が設けられた前記側壁の上下方向に沿って形成されていることを特徴とする。
第６発明のダンボール箱は、第１発明、第２発明、第３発明、第４発明または第５発明において、前記一対の破断線が形成された前記側壁の側端縁に連結した他の側壁には、該側壁の下端縁から連続した下蓋片が設けられており、該下蓋片の上端縁よりも内方に位置するように、前記一対の破断線の先端が形成されていることを特徴とする。
【発明の効果】
【００１２】
第１発明によれば、破断線に沿って切り取れば、対向する側壁と箱の上面を繋ぐ連続した開口を形成することができる。つまり、一対の破断線の基端間に上面が位置するように形成されているので、上面を掴んだまま箱の外側下方に向かって引っ張るだけで、上面と側壁を簡単に切り取ることができる。このため、側壁の開口を介して内部に収容した被収容物を簡単に取り出すことができる。しかも、箱の底面近傍まで開口を形成できるので、箱の底の方に位置する被収容物でも取り出し易くなる。さらに、被収容物を取り出す際に、被収容物と側壁との間に指を入れなくてもよいので、指や爪が被収容物と側壁間に挟まって損傷する恐れもない。したがって、箱内に隙間ができないようにきっちりと収容された被収容物であっても、簡単に取り出すことができる。
第２発明によれば、破断線に沿って切り取れば、側壁の開口を挟んだ両側に略三角形のコーナ部を形成することができる。そして、対向する側壁の対向する一のコーナ部の内方に位置する先端間を繋ぐ線を支点として、かかるコーナ部を有する部分を下方に向かって折り曲げれば、かかる部分を箱の支持台として機能させることができる。すると、載置面に対して箱を傾斜した状態にできるので、箱を低い位置に設置した場合でも内部の被収容物を取り出し易い状態で設置することができる。しかも、被収容物の一部を載置面から離間させ、かつ箱の内面と接触しない状態にできるので、被収容物の取り出しがより行い易くなる。
第３発明によれば、破断線に沿って切り取れば、対向する側壁に略逆台形の開口を形成できる。そして、この開口の両側には、離間した略三角形のコーナ部を形成することができる。このため、対向する側壁の対向する一のコーナ部の内方に位置する先端間を繋ぐ線を支点として下方に向かって折り曲げて箱の支持台として機能させれば、箱の傾斜面の距離を支持台の高さよりも長くすることができる。すると、傾斜させた状態でも箱を安定させることができる。しかも、連結破断線の距離を調整すれば、箱の傾斜角を適切な角度となるように調整することができる。
第４発明によれば、破断線に沿って切り取れば、側壁の開口の下端と側壁の底辺との間に側壁底部を残存させることができる。このため、かかる側壁底部によって被収容物が移動するのを抑制することができる。すると、破断線に沿って側壁等を切り取った後も内部の被収容物を箱内にきれいに保持した状態で設置することができる。
第５発明によれば、側壁の下端縁に設けられた蓋片の繊維方向が、対向する側壁の対向する一のコーナ部を有する部分を下方に向かって折り曲げる際の軸方向と略平行となるように形成することができる。このため、かかるコーナ部を有する部分を箱の支持台を適切に機能させることができる
第６発明によれば、破断線に沿って切り取って側壁の開口の両側に形成される一のコーナ部を有する部分を下方に向かって折り曲げる際に、箱の底面側の蓋片が干渉するのを防止することができる。このため、かかるコーナ部を形成する部分を下方に向かって確実に折り曲げることができる。
【図面の簡単な説明】
【００１３】
【図１】本実施形態のダンボール箱１の概略説明図である。
【図２】本実施形態のダンボール箱１の概略説明図であり、（Ａ）は上部の蓋片２ｂ、３ｂ、４ｂ、５ｂを閉じた状態の概略説明図であり、（Ｂ）は破断線Ｌ１、Ｌ２に沿って蓋片２ｂ、３ｂおよび破断線Ｌ１、Ｌ２によって囲まれた側壁２ａ３、３ａ３を切り取った際の概略説明図である。
【図３】本実施形態のダンボール箱１の側壁２ａ、３ａに形成された破断線Ｌ１、Ｌ２に沿っての切り取り作業の概略説明図である。
【図４】本実施形態のダンボール箱１を側壁２ａのコーナ部２ａ１を有する支持台ＳＴによって、ダンボール箱１を傾斜させた状態の概略説明図であり、（Ｂ）および（Ｃ）は、内部に収容した被収容物Ｍ１、Ｍ２の取り出し作業の概略説明図である。
【図５】本実施形態のダンボール箱１を展開したシートＳの概略説明図である。
【発明を実施するための形態】
【００１４】
本発明のダンボール箱は、上面に開口を有する矩形状のダンボール箱であって、上面の蓋片を開封した後、内部に収容した被収容物を取り出し易くできるようにしたことに特徴を有する。
【００１５】
本発明のダンボール箱に収容される被収容物は、本発明のダンボール箱内に収容することができるものであれば、その大きさや形状等はとくに限定されない。例えば、円柱状の缶や、箱状の容器、瓶、袋状などの食品、医薬品、洗剤などの日用品、文具類はもちろん、これらがさらに小箱に収容されたものや、ＰＰＣ用紙の冊などを挙げることができる。とくに、小箱やＰＰＣ用紙の冊のように角を有する形状のものであれば、本発明のダンボール箱内に効率よく収容することが可能となる。
【００１６】
また、本発明のダンボール箱を形成する材料となるダンボールシートは、一般的なダンボールシートであれば、どのようなダンボールシートでも使用することができる。例えば、一重構造のものや、二重や三重等の多重構造を有するダンボールシートを使用することができる。また、その材質もとくに限定されず、紙製のもののほか、プラスチック製のものなどを採用することができる。
【００１７】
図１および図２に示すように、本実施形態のダンボール箱１（以下、単に本ダンボール箱１という）は、４つの側壁２ａ、３ａ、４ａ、５ａを有し、この側壁２ａ、３ａ、４ａ、５ａの上端縁に開口を有する断面略矩形状の箱である。
【００１８】
各側壁２ａ、３ａ、４ａ、５ａの上端縁には、連続した蓋片２ｂ、３ｂ、４ｂ、５ｂが設けられており、この蓋片２ｂ、３ｂ、４ｂ、５ｂによって上記側壁２ａ、３ａ、４ａ、５ａの上端縁に形成された開口を閉じることができるようになっている。つまり、蓋片２ｂ、３ｂ、４ｂ、５ｂによって本ダンボール箱１の上面が形成されている。そして、上面を形成する蓋片２ｂ、３ｂ、４ｂ、５ｂを解放すれば、本ダンボール箱１内に被収容物Ｍを収容したり、その逆に内部に収容した被収容物Ｍを取り出すことができるようになっている。そして、本ダンボール箱１の対向する側壁２ａ、３ａ（または側壁４ａ、５ａ）には、本発明のダンボール箱の特徴である一対の破断線Ｌ１、Ｌ１が形成されている。
【００１９】
なお、本ダンボール箱１の底面は、内部に収容した被収容物Ｍを保持することができる構造であれば、とくに限定されない。例えば、各側壁２ａ、３ａ、４ａ、５ａの下端縁を覆う１枚蓋で形成されていてもよいし、図２（Ｂ）に示すように、各側壁２ａ、３ａ、４ａ、５ａの下端縁から連続した蓋片２ｃ、３ｃ、４ｃ、５ｃによって形成されていてもよい。
以下では、本ダンボール箱１の底面が各側壁２ａ、３ａ、４ａ、５ａの下端縁から連続した蓋片２ｃ、３ｃ、４ｃ、５ｃによって形成されており、本ダンボール箱１一対の破断線Ｌ１、Ｌ１が対向する側壁２ａ、３ａに形成された場合を代表として説明する。
【００２０】
図１および図２（Ａ）に示すように、本ダンボール箱１の対向する側壁２ａ、３ａには、上端縁の両端縁と下端縁を繋ぐ一対の破断線Ｌ１、Ｌ１が形成されている。具体的には、側壁２ａ、３ａの上端縁の長さと、側壁２ａ、３ａの上端縁に設けられた蓋片２ｂ、３ｂの下端縁の長さが同じ長さの場合、一対の破断線Ｌ１、Ｌ１は、側壁２ａ、３ａの側端縁と側壁２ａ、３ａの上端縁に設けられた蓋片２ｂ、３ｂの側端縁が連結する点を基端として、かかる基端から側壁２ａ、３ａの下端縁に向かって連続するように形成されている。
言い換えれば、一対の破断線Ｌ１、Ｌ１の基端間に蓋片２ｂ、３ｂが設けられている。
【００２１】
そして、図１に示すように、下端縁に向かって連続するように形成された一対の破断線Ｌ１、Ｌ１は、その先端間が連結破断線Ｌ２によって繋ぐように形成されている。この連結破断線Ｌ２は、一対の破断線Ｌ１、Ｌ１の先端間を繋ぐことができれば、その長さはとくに限定されない。例えば、連結破断線Ｌ２の長さが短い場合には、側壁２ａ、３ａ面上において、略Ｖ字状に一対の破断線Ｌ１、Ｌ１を形成することができる。その逆に、この連結破断線Ｌ２をやや長くすれば、側壁２ａ、３ａ面上において、逆台形状に一対の破断線Ｌ１、Ｌ１を形成することができる（図１参照）。
【００２２】
なお、破断線Ｌ１、Ｌ１および連結破断線Ｌ２は、かかる破断線Ｌ１、Ｌ１および連結破断線Ｌ２に沿って本ダンボール箱１を形成する材料となるダンボールシートを切裂くことができるものであれば、その構造はとくに限定されない。例えば、表裏を貫通する孔が不連続に形成されたミシン目状のものや、表裏を非貫通する孔が不連続に形成された半抜きミシン目状のものなどを破断線Ｌ１、Ｌ１および連結破断線Ｌ２として採用することができる。
【００２３】
また、本ダンボール箱１は、その形状や大きさは内部に収容する被収容物Ｍの大きさ等に応じて適宜調整すればよい。例えば、被収容物Ｍが、Ａ４サイズのＰＰＣ用紙の冊であれば、ダンボール箱１の内底面の大きさおよび形状がＡ４サイズとほぼ同じ大きさおよび形状を有し、内部にかかる冊を複数収容することができる大きさとなるように形成することができる（図３または図４参照）。
【００２４】
本ダンボール箱１は上記のごとき構成であるので、以下のようにすることによって、内部に収容した被収容物Ｍを簡単に取り出すことができるようになる。
【００２５】
まず、図３（Ａ）および図３（Ｂ）に示すように、本ダンボール箱１が密封された状態から本ダンボール箱１の上面を形成する各蓋片２ｂ、３ｂ、４ｂ、５ｂの下端縁を支点として、各蓋片の上端縁を閉鎖位置（図３（Ａ））から解放位置（図３（Ｂ））に揺動して、本ダンボール箱１の上面を開封する（図３（Ｂ））。
【００２６】
ついで、本ダンボール箱１の対向する側壁２ａ、３ａの上端縁に設けられた蓋片２ｂ、３ｂの上部を手で掴んだまま、下方に向かって移動させる。具体的には、蓋片２ｂ、３ｂを掴んだ状態で、側壁２ａ、３ａに形成された破断線Ｌ１、Ｌ１に沿って側壁２ａ、３ａを切裂く（図３（Ｃ））。このとき、蓋片２ｂ、３ｂの下端は、破断線Ｌ１、Ｌ１の基端間に位置するように設けられている。このため、蓋片２ｂ、３ｂを掴んだまま本ダンボール箱１の外側下方に移動させるだけで、蓋片２ｂ、３ｂの移動に伴い蓋片２ｂ、３ｂが連結した側壁２ａ、３ａを破断線Ｌ１、Ｌ１に沿って簡単に切裂くことができる。つまり、蓋片２ｂ、３ｂを掴んだ状態で外方に向かって引っ張るだけで、蓋片２ｂ、３ｂとそれに連結した側壁２ａ、３ａを破断線Ｌ１、Ｌ１に沿って簡単に切裂くことができるのである（図３（Ｃ）参照）。
【００２７】
そして、破断線Ｌ１、Ｌ１の先端まで切裂いた状態で、破断線Ｌ１、Ｌ１の先端間に形成された連結破断線Ｌ２に沿って切裂けば、図２（Ｂ）および図３（Ｄ）に示すように、一対の破断線Ｌ１、Ｌ１と連結破断線Ｌ２および側壁２ａ、３ａの上端縁によって囲まれた領域（以下、側壁開口形成部２ａ３、３ａ３という）と、側壁２ａ、３ａの上端縁に設けられた蓋片２ｂ、３ｂと、を本ダンボール箱１から切り取ることができる。
【００２８】
すると、図２（Ｂ）および図３（Ｄ）に示すように、対向する側壁２ａ、３ａと本ダンボール箱１の上面を繋ぐ連続した開口を本ダンボール箱１に形成することができる。そして、図２（Ｂ）および図３（Ｄ）に示すように、本ダンボール箱１の側壁２ａ、３ａには、側壁開口形成部２ａ３、３ａ３と同じ形状を有する側壁開口部を形成することができる。
【００２９】
この側壁２ａ、３ａに形成された側壁開口部は、上述した連結破断線Ｌ２が短い場合には略Ｖ字状に形成することができ、ある程度の長さを有する場合には略逆台形状（図２（Ｂ）参照）となるように形成することができる。
【００３０】
しかも、側壁開口部は、一対の破断線Ｌ１、Ｌ１の先端が側壁２ａ、３ａの下端縁近傍に位置するように形成されているので、下端が側壁２ａ、３ａの下端縁近傍に位置する上端縁によって形成されている。また、上端は、側壁２ａ、３ａの上端縁の両端を繋ぐ線によって形成されている。このため、本ダンボール箱１の側壁２ａの上部においては、ダンボール箱１内に収容した被収容物Ｍの側面全体をほぼ露出させることができる（図３（Ｄ）参照）。また、本ダンボール箱１の側壁２ａの下部においては、本ダンボール箱１内の内底面近傍に位置する被収容物Ｍの側面も外部に露出させることができる。つまり、図２（Ｂ）または図３（Ｄ）に示すように、かかる状態の本ダンボール箱１の側壁２ａ、３ａ正面視において（図２または図３では紙面手前側から見たとき）、一目で本ダンボール箱１内の被収容物Ｍの状況を把握することができる。
【００３１】
そして、側壁２ａ、３ａに形成された側壁開口部を介せば、本ダンボール箱１内に収容した被収容物Ｍを簡単に取り出すことができる。具体的には、側壁２ａ、３ａに形成された側壁開口部から手を入れて、被収容物Ｍの露出した部分をしっかりと掴むことができる。そして、かかる状態で上方に持ち上げれば、被収容物Ｍを簡単に取り出すことができる。しかも、被収容物Ｍを掴んで持ち上げる際に、被収容物Ｍの外面と側壁２ａ、３ａ内面の間に指を入れなくてもよいので、指や爪などが両者間に挟まって損傷するおそれもない。
【００３２】
また、図２(Ｂ）または図３（Ｄ）に示すように、本ダンボール箱１の底面近傍まで側壁開口部が形成されているので、本ダンボール箱１の底の方に位置する被収容物Ｍも上述した場合と同様に簡単に取り出すことができる。
したがって、図３に示すように、本ダンボール箱１内に隙間ができないようにきっちりと収容された被収容物Ｍであっても、側壁２ａ、３ａに形成された側壁開口部を介せば、本ダンボール箱１内から簡単に取り出すことができる。
【００３３】
また、図２(Ｂ）に示すように、一対の破断線Ｌ１、Ｌ１および連結破断線Ｌ２に沿って、側壁２ａ、３ａから側壁開口形成部２ａ３、３ａ３を切り取れば、側壁２ａ、３ａにおいて、側壁開口部を挟んだ両側に略三角形のコーナ部２ａ１、２ａ２、３ａ１、３ａ２を形成することができる。そして、図４に示すように、このコーナ部２ａ１、２ａ２、３ａ１、３ａ２のうち、対向するコーナ部２ａ１、３ａ１（またはコーナ部２ａ２、３ａ２）を含む部分を、下方に折り曲げれば、かかる部分を本ダンボール箱１の支持台として機能させることができる。なお、本ダンボール箱１の支持台として機能させる部分を以下、単に支持台形成部という。
以下では、対向するコーナ部２ａ１、３ａ１を有する支持台形成部によって、本ダンボール箱１を支持する場合について説明する。
【００３４】
図２（Ｂ）に示すように、この支持台形成部は、対向する略三角形のコーナ部２ａ１、３ａ１と、側壁５ａと、この側壁５ａの下端から連続した蓋片５ｃ、側壁２ａの下端から連続した蓋片２ｃのうちコーナ部２ａ１の下端縁から連続した蓋片、および側壁３ａの下端から連続した蓋片３ｃのうちコーナ部３ａ１の下端縁から連続した蓋片と、から形成されている。
【００３５】
図２（Ｂ）に示すように、対向するコーナ部２ａ１、３ａ１の下端縁と斜辺が交差する交点を結ぶ線を軸Ｃとすれば、この軸Ｃを支点として支持台形成部を構成する側壁５ａの上端縁を下方に向かって揺動させることができる（図４（Ａ）から図４（Ｂ））。つまり、軸Ｃを支点として支持台形成部を下方に向かって折り曲げる。このとき、蓋片２ｃ、３ｃは、軸Ｃに沿って折り曲げられるので、コーナ部２ａ１、３ａ１の下端縁間に位置する蓋片２ｃ、３ｃ部分は、支持台形成部の後述する支持壁の一部として機能する。そして、この後述する支持壁の上端は、支持台形成部の側壁５ａの上端縁の移動に伴い、上方に向かって移動する。また、この後述する支持壁の上端の移動に伴い、かかる上端に連結した蓋片２ｃ、３ｃも上方に向かって移動する。一方、本ダンボール箱１の側壁４ａの下端縁は本ダンボール箱１を載置した載置面に接触した状態に維持される。
【００３６】
このため、支持台形成部の側壁５ａの上端縁を下方に向かって揺動させれば、本ダンボール箱１の底面が本ダンボール箱１を載置した載置面に対して斜めに傾斜させることができる。そして、図４（Ｂ）および図４（Ｃ）に示すように、支持台形成部を構成する側壁５ａの外面が載置面に面接触させれば、本ダンボール箱１の底面を載置面に対して傾斜した状態に保持することができる。
【００３７】
しかも、図４（Ｂ）および図４（Ｃ）に示すように、支持台形成部の側壁５ａの外面が載置面に面接触させれば、支持壁（例えば、図２（Ｂ）では、蓋片５ｃ、コーナ部２ａ１、３ａ１の下端縁間に位置する蓋片２ｃ、３ｃによって構成される壁）は、その内面と側壁５ａ内面のなす角が略直角であるので、載置面に対して略垂直に設置することができる。このため、支持壁の上端部に加わる荷重を大きくしても、かかる荷重を支持壁によって支持することができる。このため、本ダンボール箱１内に収容した被収容物Ｍがある程度重い場合でも、支持台形成部が変形したり、つぶれたりするのを抑制することができる。しかも、上述した複数の側壁等によって支持形成部の支持壁を構成すれば、支持壁の強度を向上させることができるので好ましい。
【００３８】
一方、図４に示すように、本ダンボール箱１内に収容した被収容物Ｍは、支持台形成部を下方に向かって折り曲げることによって、それまでかかる支持台形成部で覆われた部分が露出した状態となる。しかも、図４に示すように、かかる部分は、本ダンボール箱１を傾斜させることによって、載置面から上方に離間した位置に設置させることがきる。
【００３９】
したがって、図４（Ｂ）または図４（Ｃ）に示すように、支持台形成部によって本ダンボール箱１を載置面に対して傾斜させれば、本ダンボール箱１内に収容した被収容物Ｍを載置面に対して傾斜した状態となるように設置することができる。すると、例えば、載置面が人の膝よりも低い場合、少しかがむだけで被収容物Ｍを取り出すことができる。とくに、被収容物Ｍの重量が重い場合には、載置面に対して水平に設置した場合と比べて、取り出す際の負担をより軽減させることができる。しかも、被収容物Ｍの上記露出部分全体を把持すれば、重い被収容物Ｍであっても確実かつ簡単に本ダンボール箱１内から取り出すことができるようになる。
【００４０】
とくに、一対の破断線Ｌ１、Ｌ１の先端間に形成する連結破断線Ｌ２をやや長くして、側壁開口形成部２ａ３、３ａ３の形状を逆台形状となるように形成すれば、本ダンボール箱１を載置面に対してより安定した状態にできる。
【００４１】
具体的には、図２（Ｂ）に示すように、逆台形状の側壁開口形成部２ａ３、３ａ３によって側壁２ａ、３ａには、側壁開口部を挟んで離間した状態のコーナ部２ａ１と２ａ２、３ａ１と３ａ２を形成することができる。このとき、図２（Ｂ）に示すように、支持台形成部を構成するコーナ部２ａ１、３ａ１の下端縁の長さＲ１は、側壁２ａ、３ａの下端縁の長さから上記コーナ部２ａ１、３ａ１の下端縁の長さＲ１を引いた長さＲ２よりも短くなる。そして、かかるコーナ部２ａ１、３ａ１を有する支持台形成部によって、本ダンボール箱１を載置面に対して傾斜した状態にすれば、支持台形成部の高さ（つまりＲ１）を、本ダンボール箱１の傾斜面の距離（つまりＲ２）よりも短くすることができる。
【００４２】
このため、本ダンボール箱１を傾斜させた状態でも安定した状態に維持することができる。しかも、上記長さＲ１、Ｒ２は、側壁開口形成部２ａ３、３ａ３の逆台形形状の短辺の長さを調整することによって、その長さを調整することができる。つまり、連結破断線Ｌ２の長さ調整すれば、支持台形成部の高さ（つまりＲ１）を調整できるので、本ダンボール箱１の傾斜角を適切な角度となるように調整することができる。
【００４３】
また、図２および図４に示すように、一対の破断線Ｌ１、Ｌ１の先端間に形成する連結破断線Ｌ２は、側壁２ａ、３ａの下端縁の間に隙間２ａｑ、３ａｑを設けるように形成するのが好ましい。この場合、一対の破断線Ｌ１、Ｌ１および連結破断線Ｌ２に沿って側壁２ａ、３ａから側壁開口形成部２ａ３、３ａ３を切り取っても、側壁開口部の下端には、本ダンボール箱１の内底面の側壁端縁から上方に向かって立設した立設片つまり側壁２ａ、３ａの側壁底部２ａｑ、３ａｑを残存させることができる。
【００４４】
すると、図４に示すように、かかる側壁底部２ａｑ、３ａｑによって被収容物Ｍが外方に移動するのを抑制することができる。したがって、図４（Ｂ）および図４（Ｃ）に示すように、一対の破断線Ｌ１、Ｌ１および連結破断線Ｌ２に沿って側壁２ａ、３ａを切り取った後も、本ダンボール箱１内に収容した被収容物Ｍをきれいに保持した状態で設置することができる。
【００４５】
なお、側壁２ａ、３ａの下端縁から連続した蓋片２ｃ、３ｃは、その繊維が側壁２ａ、３ａの上下方向（図２では、上下方向）に沿うように形成すれば、以下の利点を有するので、好ましい。
図２（Ｂ）に示すように、蓋片２ｃ、３ｃの繊維方向が側壁２ａ、３ａの上下方向に沿って形成されていれば、かかる繊維方向が、支持台形成部を下方に向かって折り曲げる際の軸Ｃと略平行となるように形成することができる。すると、軸Ｃを支点として支持台形成部を下方に向かって折り曲げるときに、蓋片２ｃ、３ｃの繊維方向が抵抗とならないので、支持台形成部を軸Ｃに沿って簡単に折り曲げることができる。
【００４６】
また、一対の破断線Ｌ１、Ｌ１の先端が、側壁５ａ、４ａの下端縁から連続した蓋片５ｃ、４ｃの上端縁よりも内方に位置するように形成してもよい。この場合、一対の破断線Ｌ１、Ｌ１および連結破断線Ｌ２に沿って、側壁２ａ、３ａから側壁開口形成部２ａ３、３ａ３を切り取れば、側壁２ａ、３ａの側壁開口部を挟んで形成されるコーナ部２ａ１、２ａ２、３ａ１、３ａ２の斜辺と下端縁との交差する点が、蓋片５ｃ、４ｃの上端縁よりも内方に位置するように形成することができる（図２（Ｂ）参照）。そして、かかる交差する点は、対向するコーナ部２ａ１、３ａ１を上述したように支持台形成部として機能させる際の軸Ｃとほぼ一致させることができる。すると、この支持台形成部を下方に向かって折り曲げる際に、蓋片５ｃが干渉するのを防止することができるので、支持台形成部を確実に折り曲げることができる。
【００４７】
（ダンボール箱１の展開図の説明）
上述したように本ダンボール箱１は、複数の部材などを組み合わしたり、連結したりして形成してもよい。しかし、後述するような、一枚のシートＳを折り曲げて形成すれば、組み立てを簡単にすることができるし、使用前後で簡単にシート状にすることができる。しかも、シート状にすれば、かさ張らないので、持ち運びがより簡単になるし、保管の際の場所も取らない。
【００４８】
なお、後述するようなシートＳは、どのように形成してもよい。例えば、一枚のシートをプレス加工して打ち抜いて形成してもよいし、一枚のシートを切断して形成してもよい。しかし、プレス加工で形成すれば、加工速度が速くなるし、正確に所定の形状に形成しやすくなる。
【００４９】
（シートＳ１の説明）
以下、シートＳ１について説明する。
【００５０】
なお、以下では、図５に示す形状で本ダンボール箱１を形成できるシートＳ１について説明するが、本ダンボール箱１の形状や大きさ等に応じて、シートＳ１の形状や構造は適宜変更することができる。
【００５１】
また、図５において、型押しなどの方法によって折目線が形成されている個所は点線で表示している。つまり、シートＳ１は、点線の位置で折り曲げることができるようになっている。そして、以下の説明において、山折とは、図５において、紙面に対して向こう側に折れる状態を意味しており、山折線とは、シートＳ１を山折させる部分を示している。また、谷折とは、図５において、紙面に対して手前側に折れる状態を意味しており、谷折線とは、シートＳ１を谷折させる部分を示している。
【００５２】
図５に示すように、シートＳ１は、４つの板状部材Ｓ２〜Ｓ５が、その側端縁で連結された形状を有している。具体的には、図５に示すように、シートＳ１は、上から板状部材Ｓ５、板状部材Ｓ２、板状部材Ｓ４そして板状部材Ｓ３の順に連結されている。
【００５３】
各板状部材は、以下のように本ダンボール箱１の各側壁となる部分を含んでいる。
板状部材Ｓ２と板状部材Ｓ３は、上述した本ダンボール箱１の対向する側壁２ａと側壁３ａとなる側壁形成板Ｓ２ａと側壁形成板Ｓ３ａをそれぞれ含む部分である。そして、板状部材Ｓ４および板状部材５は、上述した本ダンボール箱１の対向する側壁４ａと側壁３ａとなる側壁形成板Ｓ４ａと側壁形成板Ｓ５ａをそれぞれ含む部分である。
【００５４】
以下、図５に基づいて、シートＳ１の各部材を上から順に説明する。
【００５５】
まず、図５に示すように、板状部材Ｓ５は、側壁形成板Ｓ５ａと、上蓋片形成板Ｓ５ｂと、下蓋片壁形成板Ｓ５ｃとを備えている。板状部材Ｓ５において、側壁形成板Ｓ５ａと上蓋片形成板Ｓ５ｂの連結部分、側壁形成板Ｓ５ａと下蓋片壁形成板Ｓ５ｃの連結部分には、山折りできるような山折線が形成されている。
図５に示すように、板状部材Ｓ５の側壁形成板Ｓ５ａが、上述した本ダンボール箱１の側壁５ａとなる部分である。また、板状部材Ｓ５の上蓋片形成板Ｓ５ｂが、上述した本ダンボール箱１の蓋片５ｂとなる部分である。そして、板状部材Ｓ５の下蓋片形成板Ｓ５ｃが、上述した本ダンボール箱１の蓋片５ｃとなる部分である。
【００５６】
この板状部材Ｓ５の下側には、板状部材Ｓ２が連結されている。この板状部材Ｓ２は、側壁形成板Ｓ２ａと、上蓋片形成板Ｓ２ｂと、下蓋片壁形成板Ｓ２ｃとを備えている。板状部材Ｓ２において、側壁形成板Ｓ２ａと上蓋片形成板Ｓ２ｂの連結部分、側壁形成板Ｓ２ａと下蓋片壁形成板Ｓ２ｃの連結部分には、山折りできるような山折線が形成されている。
図５に示すように、板状部材Ｓ２の側壁形成板Ｓ２ａが、上述した本ダンボール箱１の側壁２ａとなる部分である。また、板状部材Ｓ２の上蓋片形成板Ｓ２ｂが、上述した本ダンボール箱１の蓋片２ｂとなる部分である。そして、板状部材Ｓ２の下蓋片形成板Ｓ２ｃが、上述した本ダンボール箱１の蓋片２ｃとなる部分である。
【００５７】
図５に示すように、板状部材Ｓ２の側壁形成板Ｓ２ａは、上述したように本ダンボール箱１の側壁２ａとなる部分である。この側壁形成板Ｓ２ａには、一対の破断線Ｌ１、Ｌ１が形成されている。この一対の破断線Ｌ１、Ｌ１は、側壁形成板Ｓ２ａと上蓋片形成板Ｓ２ｂの連結端縁を基端とし、側壁形成板Ｓ２ａと下蓋片壁形成板Ｓ２ｃの連結部分を繋ぐように形成されている。そして、かかる連結部分近傍に位置する一対の破断線Ｌ１、Ｌ１の先端間を繋ぐように連結破断線Ｌ２が形成されている。この一対の破断線Ｌ１、Ｌ１および連結破断線Ｌ２は、上述した本ダンボール箱１の側壁２ａ、３ａに形成された破断線Ｌ１、Ｌ１および連結破断線Ｌ２に相当するものである。
【００５８】
この板状部材Ｓ２の下側には、板状部材Ｓ４が連結されている。
この板状部材Ｓ４は、側壁形成板Ｓ４ａと、上蓋片形成板Ｓ４ｂと、下蓋片壁形成板Ｓ４ｃとを備えている。板状部材Ｓ４において、側壁形成板Ｓ４ａと上蓋片形成板Ｓ４ｂの連結部分、側壁形成板Ｓ４ａと下蓋片壁形成板Ｓ４ｃの連結部分には、山折りできるような山折線が形成されている。
図５に示すように、板状部材Ｓ４の側壁形成板Ｓ４ａが、上述した本ダンボール箱１の側壁４ａとなる部分である。また、板状部材Ｓ４の上蓋片形成板Ｓ４ｂが、上述した本ダンボール箱１の蓋片４ｂとなる部分である。そして、板状部材Ｓ４の下蓋片形成板Ｓ４ｃが、上述した本ダンボール箱１の蓋片４ｃとなる部分である。
【００５９】
そして、板状部材Ｓ４の下側には、シートＳ１の最後となる板状部材Ｓ３が連結されている。この板状部材Ｓ３は、側壁形成板Ｓ３ａと、上蓋片形成板Ｓ３ｂと、下蓋片壁形成板Ｓ３ｃとを備えている。板状部材Ｓ３において、側壁形成板Ｓ３ａと上蓋片形成板Ｓ３ｂの連結部分、側壁形成板Ｓ３ａと下蓋片壁形成板Ｓ３ｃの連結部分には、山折りできるような山折線が形成されている。
図５に示すように、板状部材Ｓ３の側壁形成板Ｓ３ａが、上述した本ダンボール箱１の側壁３ａとなる部分である。また、板状部材Ｓ３の上蓋片形成板Ｓ３ｂが、上述した本ダンボール箱１の蓋片３ｂとなる部分である。そして、板状部材Ｓ３の下蓋片形成板Ｓ３ｃが、上述した本ダンボール箱１の蓋片３ｃとなる部分である。
【００６０】
図５に示すように、板状部材Ｓ３の側壁形成板Ｓ３ａは、上述したように本ダンボール箱１の側壁３ａとなる部分である。この側壁形成板Ｓ３ａには、上述した側壁形成板Ｓ２ａと同様に、一対の破断線Ｌ１、Ｌ１が形成されている。この一対の破断線Ｌ１、Ｌ１は、側壁形成板Ｓ３ａと上蓋片形成板Ｓ３ｂの連結端縁を基端とし、側壁形成板Ｓ３ａと下蓋片壁形成板Ｓ３ｃの連結部分を繋ぐように形成されている。そして、かかる連結部分近傍に位置する一対の破断線Ｌ１、Ｌ１の先端間を繋ぐように連結破断線Ｌ２が形成されている。この一対の破断線Ｌ１、Ｌ１および連結破断線Ｌ２は、上述した本ダンボール箱１の側壁２ａ、３ａに形成された破断線Ｌ１、Ｌ１および連結破断線Ｌ２に相当するものである。
なお、図５に示すように、板状部材Ｓ３の側壁形成板Ｓ３ａの下端縁には、舌片が連結されている。
【００６１】
シートＳ１が、以上のごとき形状に形成されていれば、一般的なダンボール箱を形成する場合と同様の方法を用いて組み立てれば、本ダンボール箱１を形成することができる。例えば、板状部材Ｓ３の側壁形成板Ｓ３ａの下端縁に連結した舌片に接着剤等を塗布した後、かかる舌片を板状部材Ｓ５の側壁形成板Ｓ５ａの上端に連結する。すると、シートＳ１の各部材をサークル状に連結できるので、各板を連結した板同士のなす角が略直角を形成するように各連結部を折り曲げれば、本ダンボール箱１を形成することができる。
【産業上の利用可能性】
【００６２】
本発明のダンボール箱は、内部に缶や、箱状の容器、瓶、袋状などの食品、医薬品、洗剤などの日用品、文具類はもちろん、これらがさらに小箱に収容されたものや、ＰＰＣ用紙の冊などを収容する梱包材として適している。
【符号の説明】
【００６３】
１      ダンボール箱
２ａ    側壁
２ｂ    ダンボール箱の上面を形成する蓋片
２ｃ    ダンボール箱の下面を形成する蓋片
３ａ    側壁２aに対向する側壁
３ｂ    ダンボール箱の上面を形成する蓋片
３ｃ    ダンボール箱の下面を形成する蓋片
４ａ    側壁
４ｂ    ダンボール箱の上面を形成する蓋片
４ｃ    ダンボール箱の下面を形成する蓋片
５ａ    側壁４aに対向する側壁
５ｂ    ダンボール箱の上面を形成する蓋片
５ｃ    ダンボール箱の下面を形成する蓋片
Ｌ１    破断線
Ｌ２    連結破断線
【図１】
2017088210.tif 000003
【図２】
2017088210.tif 000004
【図３】
2017088210.tif 000005
【図４】
2017088210.tif 000006
【図５】
2017088210.tif 000007